【事件の表示】
　平成　８年特許願第１４５２４２号「データ表示方法及びデータ表示装置及びそのデータ表示装置を備えた電子部品実装装置」拒絶査定不服審判事件〔平成　９年１２月１６日出願公開、特開平　９−３２６５９９〕について、次のとおり審決する。
【結　論】
　本件審判の請求は、成り立たない。
【理　由】
１．手続の経緯・本願発明
　本願は、平成８年６月７日の出願であって、 平成１６年４月２３日付けで拒絶査定がされ、これに対し、同年５月２７日に拒絶査定不服審判が請求されるとともに、同年６月２８日付けで手続補正がなされたものである。
　
　
　
　本願の請求項３に係る発明（以下、「本願発明」という。）は、平成１６年６月２８日付け手続補正書の特許請求の範囲の請求項３に記載された事項により特定される、以下のとおりのものである。
　
「設備機器の操作を案内する操作ガイダンスを表示するデータ表示装置であって、
前記設備機器のオペレータレベル毎に前記操作ガイダンスにおける操作を説明するための説明データを保持するガイダンス保持手段と、
前記ガイダンス保持手段に保持されているオペレータレベルに適応した説明データを選択するガイダンス選択手段と、
前記ガイダンス選択手段により選択された説明データに基づいて前記操作ガイダンスを表示するガイダンス表示手段とを備え、
前記設備機器により使用する機能ごとに、前記オペレータレベルを設定し、
前記オペレータレベルは、前記機能ごとに、選択された回数の最も多いオペレータレベルを、初期値として設定するデータ表示装置。」
　
　
２．引用刊行物
　
　原査定の拒絶の理由に引用された特開平５−８８８３２号公報（以下、「引用刊行物」という。）には、図面と共に、　
　
「【請求項１】　画面データを記憶する画面記憶部と、記憶された画面データを表示する表示部と、入力操作用スイッチと、このスイッチからの信号と画面の表示状況とに応じて操作内容を判断しその結果にもとづき外部装置の制御を行なう制御部とを少なくとも備え、
　前記画面記憶部にレベルの互いに異なる複数の操作ガイド画面を記憶しておくとともに、過去に表示した操作ガイド画面のレベルを記憶しておき、操作画面の表示中に操作ガイドスイッチが押されたときは、前記記憶されたレベルにもとづき今回表示すべき操作ガイド画面のレベルを決定して表示することを特徴とする操作ガイド画面表示方法。
【請求項２】　前記操作ガイド画面のレベルを変更指示するためのガイド切り換えスイッチを付加してなることを特徴とする請求項１に記載の操作ガイド画面表示方法。」（【特許請求の範囲】）
　
「【産業上の利用分野】この発明は、機械装置の起動や停止、および動作状態をモニタするための操作表示パネルにおける操作ガイド画面表示方法に関する。
【０００２】
【従来の技術】従来、かかる操作表示パネルではオペレータの操作を支援するため、ＨＥＬＰキーなどから操作ガイド画面表示指令を入力することにより、どのように操作したら良いかを説明するための操作ガイド画面を表示するようにしている。
【０００３】
【発明が解決しようとする課題】上記のごときＨＥＬＰキーを押すことにより表示される操作ガイド画面は、１つの操作画面に対して１つしかないのが普通であり、１つの操作ガイド画面で様々なオペレータが理解できるように詳しい説明を表示するようにしている。しかしながら、操作表示パネルを操作するオペレータの習熟度（レベル）は様々であり（新人で詳しい説明が必要なオペレータとか、熟練者であるが操作方法を度忘れしてしまい操作を確認するために見る場合など）、種々の使用方法が存在する。例えば、熟練者が操作方法を確認するために少しだけ説明が欲しいと思っている場合（コマンド一覧を見たいときなど）に、詳しく説明してある操作ガイド画面を表示すると、オペレータは余分な説明を読まなければならず、このため操作効率の低下や、余分な説明の部分（すでに知っている部分）を斜め読みすることにより必要な説明をつい読み飛ばしてしまい、探すのに時間が掛かるなどの問題が生じる。したがって、この発明の課題はオペレータのレベルに応じた最適な操作ガイド画面を簡単に表示できるようにすることにある。」（第２頁第１欄第２０行〜同頁同欄第４８行）
　
「【課題を解決するための手段】このような課題を解決するため、この発明では、画面データを記憶する画面記憶部と、記憶された画面データを表示する表示部と、入力操作用スイッチと、このスイッチからの信号と画面の表示状況とに応じて操作内容を判断しその結果にもとづき外部装置の制御を行なう制御部とを少なくとも備え、前記画面記憶部にレベルの互いに異なる複数の操作ガイド画面を記憶しておくとともに、過去に表示した操作ガイド画面のレベルを記憶しておき、操作画面の表示中に操作ガイドスイッチが押されたときは、前記記憶されたレベルにもとづき今回表示すべき操作ガイド画面のレベルを決定して表示することを特徴としている。なお、前記操作ガイド画面のレベルを変更指示するためのガイド切り換えスイッチを付加するようにしても良い。
【０００５】
【作用】各操作画面毎にレベルの互いに異なる複数の操作ガイド画面（初級，中級，上級用）を用意しておき、オペレータの過去のキー操作からその習熟度を判断し、複数の操作ガイド画面の中から最適な操作ガイド画面を決定して表示することができるようにする。」（第２頁第１欄第５０行〜第２頁第２欄第１９行） 
　
「【実施例】
　図１はこの発明の実施例を示すフローチャート、図２はこの発明が適用される操作表示パネルの全体構成図、図３はこの発明による操作表示パネルの外観図である。　まず、図２から説明する。同図において、１は操作表示ＣＰＵ（中央処理装置）としてのマイコンシステム、２は表示文字を発生するキャラクタジェネレータ（ＣＧ）、３は画面を構成する画面データを記憶するための画面メモリ（ＥＥＰＲＯＭ）（上記ＣＧ２を用いる代わりに、この画面メモリ３に文字を図形として記憶させるようにしても良い）、４は画面に表示する数量データなどを保持するためのデータメモリ（ＲＡＭ）（このメモリ４に、動作状況を画面毎に記憶させることで、電源オフとなった後での再起動を容易にすることができ、またこのメモリ４は、不揮発性メモリとなるように、バッテリでバックアップするのが良い）、５は内部バス、６は表示パネルと透明スイッチが一体化した透明タッチキーであるが、そのうち、特に透明スイッチを指すときは符号６ａを、表示パネルを指すときは符号６ｂ（６ａ，６ｂとも図２には直接図示していないが）をそれぞれ用いる。
【０００７】透明スイッチ６ａは、表示パネル６ｂの表示画面上に位置し、該画面に表示されたスイッチ項目に、該透明スイッチ６ａを構成する透明体を介してタッチすることにより、透明スイッチ６ａから対応するスイッチ出力を発生するようになっており、かかる透明タッチキーそのものは従来から周知のものである。７はキーエンコーダ（透明スイッチ６ａの操作出力を入力され、これをエンコードしてマイコンシステム１へ伝える働きをする）、８は操作スイッチ、９は外部制御装置としてのシーケンサ、１０は操作表示パネルの画面設計や機能設計をするためのローダ、１１はプリンタ、１２は操作表示パネルと上記シーケンサ，ローダ，プリンタとを接続するためのインターフェースバスである。シーケンサ９の先には図示せざる被制御装置・機械がつながっており、これの動作はシーケンサ９による動作の手順（プログラム）によって制御される。また、１３は表示ランプ、１４は警報リレー、１５はブザーである。
【０００８】操作表示パネルの外観は図３に示すように、透明タッチキー６と操作スイッチ８ａ，８ｆ等より成っている。８ｃは操作ガイドスイッチを示し、オペレータがこのスイッチを押せば操作画面に代わって操作ガイド画面が表示される。８ｄは終了スイッチであり、操作ガイド画面表示中にこのスイッチが押されると、操作ガイド画面の表示を終了し、操作画面に戻る。８ｅ，８ｆは操作ガイド画面を切り換える操作ガイド切り換えスイッチであり、スイッチ８ｅを押すと内容のより簡単な操作ガイド画面に、またスイッチ８ｆを押すと内容のより詳しい操作ガイド画面にそれぞれ切り換わる。例えば、レベル１，２，３の３種類の操作ガイド画面があって、いまレベル２の操作ガイド画面を表示しているときに、スイッチ８ｅを押すとレベル１の操作ガイド画面に、またスイッチ８ｆを押すとレベル３の操作ガイド画面にそれぞれ切り換わることになる。なお、レベル１の操作ガイド画面を表示しているときに、スイッチ８ｅを押しても操作ガイド画面の切り換えは行なわれない。
【０００９】操作画面の例を図４に示し、図５に図４の操作画面に対応する操作ガイド画面例を示す。すなわち、図４のような操作画面が表示されているときに、オペレータが操作ガイドスイッチ８ｃを押すと、図２のマイコンシステム１では、図５に（イ），（ロ），（ハ）で示す複数の操作ガイド画面（ここでは、レベル１，２，３の３種類の操作ガイド画面があるものとし、レベル１，２，３の順に内容が詳しくなるものとする）の中から所定の１つを、以下に示す方法で選択して表示する。このため、各操作画面には複数の操作ガイド画面が対応付けられており、これらの操作ガイド画面データは図２のローダ１０により予め作成して、画面メモリ３へ格納しておくものとする。まず、レベルを次のように定義し、
０：操作ガイド画面を見なかった場合
１：レベル１の操作ガイド画面を見た場合
２：レベル２の操作ガイド画面を見た場合
３：レベル３の操作ガイド画面を見た場合
今回表示する操作ガイド画面のレベルＬを次式から求める。
Ｌ＝（Ｇn-2 ＋Ｇn-1 ＋１）／３
ここに、Ｇn-2 は前々回表示したときの操作ガイド画面のレベル、Ｇn-1 は前回表示したときの操作ガイド画面のレベルを示し、上式で少数点以下の値は切り上げるものとする。また、一番最初のときは初期値としてＧn-2 ，Ｇn-1 とも２にしておく。これは、レベル２の操作ガイド画面を標準のガイド画面と考えているためである。
【００１０】図６に画面レベルの決定結果を示す。このテーブルはＧn-2 ，Ｇn-1 の値と、表示される操作ガイド画面との関係を示すものである。例えば、前々回にレベル３の操作ガイド画面を表示し、前回には操作ガイド画面を見なかった（レベル０ということになる）として、今回操作ガイドスイッチ８ｃを押すと、
（Ｇn-2 ＋Ｇn-1 ＋１）／３＝（３＋０＋１）／３＝２
となり、レベル２の操作ガイド画面が表示されることになる。このような状態で次にまた操作ガイドスイッチ８ｃが押されると、
（Ｇn-2 ＋Ｇn-1 ＋１）／３＝（０＋２＋１）／３＝１
となり、レベル１の操作ガイド画面が表示される。このように、操作ガイドスイッチ８ｃを押さないと、次に操作ガイドスイッチ８ｃを押したときによりレベルの低い（簡単な）操作ガイド画面が表示されることになる。なお、画面レベルの決定に当たってはその都度上式の如き演算をして求めても良いし、図６に示すデータをテーブルとして予め記憶しておき、これを参照して求めるようにしても良い。
【００１１】以上の各部分の動作を総合的に示すのが図１である。　まず、ステップＳ１では上記の如き操作ガイドスイッチ８ｃが押されたかどうかを判定し、ステップＳ２では前々回，前回に表示したレベルから、上述の如き演算またはテーブルを参照して今回表示する操作ガイド画面のレベルを求め、ステップＳ３でそのレベル対応の操作ガイド画面を表示する。ステップＳ４では終了スイッチ８ｄが押されたかどうかを判断し、ステップＳ５では操作ガイド切り換えスイッチ８ｅ，８ｆが押されたかどうかを判断する。操作ガイド切り換えスイッチ８ｅ，８ｆが押されたときは、ステップＳ６で操作ガイド画面の切り換えを行なう。ステップＳ７では操作ガイド画面から操作画面への切り換えが行なわれ、ステップＳ８では前々回，前回の各画面レベルを更新して記憶する。」（第２頁第２欄第２０行〜第３頁第４欄第３７行）
　
「【発明の効果】この発明によれば、各操作画面毎にレベルの互いに異なる複数の操作ガイド画面（初級，中級，上級用）を用意しておき、オペレータの過去のキー操作からその習熟度を判断し、複数の操作ガイド画面の中から最適な操作ガイド画面を決定して表示するようにしたので、オペレータは余分な説明（既に、知っている事項の説明等）を読む必要がなくなり、操作効率が向上するという利点が得られる。また、余分な説明の部分（既に知っている部分等）を斜め読みすることで、必要な説明をつい読み飛ばしてしまい、誤った操作を行なうおそれをなくすことが可能となる。」（第３頁第４欄第３９行〜同頁同欄第４９行）
　と、記載されている。
　
　
　これらの記載によれば、引用刊行物には、
「機械装置の起動や停止、および動作状態をモニタするための操作表示パネルにおける操作ガイド画面表示方法に関し、
　画面データを記憶する画面記憶部と、
　記憶された画面データを表示する表示部と、
　透明タッチキー６と操作スイッチ８ａ，８ｆと、
　透明タッチキー６と操作スイッチ８ａ，８ｆからの信号と画面の表示状況とに応じて操作内容を判断しその結果にもとづき外部装置（機械装置）の制御を行なう制御部とを少なくとも備え、
　操作ガイドスイッチ８ｃと、終了スイッチ８ｄと、操作ガイド画面を切り換える操作ガイド切り換えスイッチ８ｅ，８ｆとを備え、
　前記画面記憶部に各操作画面毎にレベルの互いに異なる複数の操作ガイド画面を記憶しておくとともに、過去に表示した操作ガイド画面のレベルを記憶しておき、
　操作画面の表示中に、オペレータが操作ガイドスイッチ８ｃを押せば操作画面に代わって操作ガイド画面が表示され、
　操作ガイド画面表示中に終了スイッチ８ｄが押されると、操作ガイド画面の表示を終了し、操作画面に戻り、
　操作ガイド切り換えスイッチ８ｅを押すと内容のより簡単な操作ガイド画面に、また操作ガイド切り換えスイッチ８ｆを押すと内容のより詳しい操作ガイド画面にそれぞれ切り換わり、
　レベル１，２，３の３種類の操作ガイド画面があって、いまレベル２の操作ガイド画面を表示しているときに、スイッチ８ｅを押すとレベル１の操作ガイド画面に、またスイッチ８ｆを押すとレベル３の操作ガイド画面にそれぞれ切り換わり、
　レベル１，２，３の順に内容が詳しくなるものとし、
　レベルを次のように定義し、
０：操作ガイド画面を見なかった場合
１：レベル１の操作ガイド画面を見た場合
２：レベル２の操作ガイド画面を見た場合
３：レベル３の操作ガイド画面を見た場合
　今回表示する操作ガイド画面のレベルＬを次式から求め、
Ｌ＝（Ｇn-2 ＋Ｇn-1 ＋１）／３
　ここに、Ｇn-2 は前々回表示したときの操作ガイド画面のレベル、Ｇn-1 は前回表示したときの操作ガイド画面のレベルを示し、上式で少数点以下の値は切り上げるものとし、また、一番最初のときは初期値としてＧn-2 ，Ｇn-1 とも２にしておき、
　動作は、
　まず、ステップＳ１では上記の如き操作ガイドスイッチ８ｃが押されたかどうかを判定し、
　ステップＳ２では前々回，前回に表示したレベルから、上述の如き演算を行い、今回表示する操作ガイド画面のレベルを求め、
　ステップＳ３でそのレベル対応の操作ガイド画面を表示し、
　ステップＳ４では終了スイッチ８ｄが押されたかどうかを判断し、
　ステップＳ５では操作ガイド切り換えスイッチ８ｅ，８ｆが押されたかどうかを判断し、
　操作ガイド切り換えスイッチ８ｅ，８ｆが押されたときは、ステップＳ６で操作ガイド画面の切り換えを行い、
　ステップＳ７では操作ガイド画面から操作画面への切り換えが行なわれ、
　ステップＳ８では前々回，前回の各画面レベルを更新して記憶し、
　今回表示すべき操作ガイド画面のレベルを決定して表示することを特徴とする操作ガイド画面表示方法。」の発明（以下「引用刊行物発明」という。）が記載されているものと認めることができる。
　
　
３．対比
　
　そこで、本願発明と引用刊行物発明とを対比すると、引用刊行物発明の「機械装置」及び「外部装置（機械装置）」は、本願発明の「設備機器」に相当し、以下同様に、「操作ガイド」は「操作を案内する操作ガイダンス」に、「操作ガイド画面の内容」は「説明データ」に、それぞれ相当する。
　引用刊行物発明の「レベル」は、操作ガイド画面の種類であり、レベル１，２，３の３種類があり、レベル１，２，３の順に内容が詳しくなるものであるから、本願発明の「オペレータレベル」に相当する。
　引用刊行物発明の「画面記憶部」は、各操作画面毎にレベルの互いに異なる複数の操作ガイド画面を記憶しており、操作ガイド画面は、レベル１，２，３の３種類あり、レベル１，２，３の順に内容が詳しくなるものであるから、本願発明の「設備機器のオペレータレベル毎に前記操作ガイダンスにおける操作を説明するための説明データを保持するガイダンス保持手段」に相当する。
　引用刊行物発明の「動作」の「ステップＳ２」では、前々回，前回に表示したレベルから、Ｌ＝（Ｇn-2 ＋Ｇn-1 ＋１）／３
（レベルを次のように定義する。
０：操作ガイド画面を見なかった場合
１：レベル１の操作ガイド画面を見た場合
２：レベル２の操作ガイド画面を見た場合
３：レベル３の操作ガイド画面を見た場合
　ここに、Ｇn-2 は前々回表示したときの操作ガイド画面のレベル、Ｇn-1 は前回表示したときの操作ガイド画面のレベルを示し、上式で少数点以下の値は切り上げるものとし、また、一番最初のときは初期値としてＧn-2 ，Ｇn-1 とも２にしておく）
　の演算を行い、今回表示する操作ガイド画面のレベルを求め、「ステップＳ３」でそのレベル対応の操作ガイド画面を表示することから、引用刊行物発明も、本願発明の「ガイダンス保持手段に保持されているオペレータレベルに適応した説明データを選択するガイダンス選択手段」に相当する機能を有することは明らかである。
　引用刊行物発明の「表示部」は、画面記憶部に記憶された画面データを表示するものであって、当該画面記憶部には、レベルの互いに異なる複数の操作ガイド画面を記憶されており、当該操作ガイド画面が「動作」の「ステップＳ３」で表示されるものであるから、本願発明の「ガイダンス表示手段」に相当する。
　引用刊行物発明の「今回表示すべき操作ガイド画面のレベル」は、
　Ｌ＝（Ｇn-2 ＋Ｇn-1 ＋１）／３
（レベルを次のように定義する。
０：操作ガイド画面を見なかった場合
１：レベル１の操作ガイド画面を見た場合
２：レベル２の操作ガイド画面を見た場合
３：レベル３の操作ガイド画面を見た場合
　ここに、Ｇn-2 は前々回表示したときの操作ガイド画面のレベル、Ｇn-1 は前回表示したときの操作ガイド画面のレベルを示し、上式で少数点以下の値は切り上げるものとする。）
　により求められることから、選択されたレベルの操作ガイドの画面の回数に応じた演算により当該レベルが設定されるものであって、引用刊行物発明の「今回表示すべき操作ガイド画面のレベル」は、本願発明の「オペレータレベル」の「初期値」に対応し、引用刊行物発明の「レベル」と本願発明の「オペレータレベル」とは、「オペレータレベルは、選択された回数に応じたオペレータレベルを、初期値として設定する」点で一致する。
　引用刊行物発明は、「操作ガイド画面を表示」する「表示部」を有することから、データ表示装置であることは明らかである。
　
　
　以上を総合して、両者は、
「設備機器の操作を案内する操作ガイダンスを表示するデータ表示装置であって、
前記設備機器のオペレータレベル毎に前記操作ガイダンスにおける操作を説明するための説明データを保持するガイダンス保持手段と、
前記ガイダンス保持手段に保持されているオペレータレベルに適応した説明データを選択するガイダンス選択手段と、
前記ガイダンス選択手段により選択された説明データに基づいて前記操作ガイダンスを表示するガイダンス表示手段とを備え、
前記オペレータレベルは、選択された回数に応じたオペレータレベルを、初期値として設定するデータ表示装置。」の点で一致し、以下の点で相違している。
　
　
［相違点］本願発明では、設備機器により使用する機能ごとに、オペレータレベルを設定し、オペレータレベルは、機能ごとに、選択された回数の最も多いオペレータレベルを、初期値として設定するのに対して、引用刊行物発明では、オペレータレベルを設定しているが、機能ごとにオペレータレベルを設定することについては記載がなく、オペレータレベルは、選択された回数に応じたオペレータレベルを、初期値として設定する点。
　
　
４．当審の判断
　
［相違点］について
　引用刊行物発明には、各操作画面毎に、レベルの異なる複数の操作ガイド画面を有するものである。
　そして、操作ガイダンスを表示するものにおいて、使用する機能ごとに、オペレータレベルを設定し、機能ごとにオペレータレベルに応じたガイダンスを行うことは、特開平６−２８０７８号公報（特に、「図３のテーブル図に示す如く検索・登録における利用頻度に対応する習熟度のレベルが記憶されておりこれによって習熟度のレベルが自動的に選択決定される。」参照。）、特開平１−１５５３９１号公報（第２図参照。）に示されるように、周知技術である。
　そして、選択された回数の最も多い選択要素を優先して表示させることは、実願平４−４９８１７号（実開平６−４８３４号）のＣＤ−ＲＯＭ、特開平５−１２７８５４号公報及び特開昭６４−７６２１８号公報に示されるように、周知技術である。
　したがって、引用刊行物発明において、上記周知技術を適用して、使用する機能ごとに、オペレータレベルを設定し、当該オペレータレベルは、機能ごとに、選択された回数の最も多いオペレータレベルを初期値として設定することは、当業者が適宜なし得ることである。
　
　そして、本願発明の作用効果も、引用刊行物発明及び周知技術から当業者が予測できる範囲のものである。
　
　
５．むすび
　
　以上のとおり、本願発明は、引用刊行物発明及び周知技術に基づいて、当業者が容易に発明をすることができたものであるから、特許法第２９条第２項の規定により特許を受けることができない。
　
　よって、結論のとおり審決する。